(57)【特許請求の範囲】
【請求項１】
チャネルに対する送信機会の取得に成功した少なくとも１つの端末に対応するストリームを保持するステップと、
前記送信機会の取得に成功した少なくとも１つの端末が前記チャネルに対する送信機会に対応する時間区間中に当該のストリームを受信し、前記チャネルに対する送信機会の取得に成功していない少なくとも１つの他の端末がパワーセーブモードで動作するよう送信機会設定フレームを送信するステップと、
前記送信機会の取得に成功した少なくとも１つの端末のうちの前記送信機会に対応する時間区間の残った期間中に送信されるこれ以上のデータが存在しない特定端末がパワーセーブモードで動作することを指示するステップと、
を含むことを特徴とする送信装置の通信方法。
【請求項２】
前記送信機会に対応する時間区間中に前記少なくとも１つの端末に対応するストリームを前記チャネルを用いて同時に送信するステップをさらに含むことを特徴とする請求項１に記載の送信装置の通信方法。
【請求項３】
前記送信機会に対応する時間区間の残った期間中に前記特定端末にデータを送信しないステップを含むことを特徴とする請求項１に記載の送信装置の通信方法。
【請求項４】
前記パワーセーブモードで動作することを指示するステップは、前記送信機会に対応する時間区間の残った期間中に前記特定端末に送信されるこれ以上のデータが存在しないことを示す指示子を生成するステップをさらに含むことを特徴とする請求項１に記載の送信装置の通信方法。
【請求項５】
前記指示子を生成するステップは、前記特定端末に送信されるパケットのプリアンブルまたは前記特定端末に送信されるＭＡＣ（Ｍｅｄｉａ  Ａｃｃｅｓｓ  Ｃｏｎｔｒｏｌ）フレームのヘッダを用いて、前記特定端末に送信されるこれ以上のデータが存在しないことを示す指示子を生成するステップであることを特徴とする請求項４に記載の送信装置の通信方法。
【請求項６】
パワーセーブモードで前記特定端末に送信される送信機会で発生する追加的なデータに応答し、
前記方法は、次の送信機会まで追加的なデータをバッファリングするステップをさらに含むことを特徴とする請求項３に記載の送信装置の通信方法。
【請求項７】
前記少なくとも１つの端末に関する情報を前記少なくとも１つの端末のためのデータフレームの制御情報に含ませて送信するステップを含むことを特徴とする請求項１に記載の送信装置の通信方法。
【請求項８】
前記送信機会設定フレームは、
前記送信機会に対応する時間区間を設定するための情報を含み、
前記送信機会の取得に成功した少なくとも１つの端末及び前記送信機会の取得に成功していない少なくとも１つの他の端末が前記送信機会設定フレームを復号化するように生成されることを特徴とする請求項１に記載の送信装置の通信方法。
【請求項９】
前記送信機会設定フレームは、前記少なくとも１つの端末が他の送信装置からの指示に応じてパワーセーブモードに間違って転換されることを防止するために、前記少なくとも１つの端末が属するセルのＩＤまたはＢＳＳ（Ｂａｓｉｃ  Ｓｅｒｖｉｃｅ  Ｓｅｔ）  ＩＤを含むことを特徴とする請求項１に記載の送信装置の通信方法。
【請求項１０】
前記少なくとも１つの端末及び前記少なくとも１つの他の端末は、同一のグループＩＤを有する特定グループに属する端末であることを特徴とする請求項１に記載の送信装置の通信方法。
【請求項１１】
送信装置から、チャネルに対する送信機会の取得に成功した少なくとも１つの端末がチャネルに対する送信機会に対応する時間区間中に当該のストリームを受信し、前記チャネルに対する送信機会の取得に成功していない少なくとも１つの他の端末がパワーセーブモードで動作するよう設定された送信機会設定フレームを受信するステップと、
前記送信機会設定フレームの受信に応答して前記送信装置から前記送信機会に対応する時間区間中にストリームを受信したり、前記パワーセーブモードに動作モードを設定するステップと、
前記送信機会に対応する時間区間中にストリームを受信したが、前記送信機会に対応する時間区間の残った期間中に少なくとも１つの端末に送信されるこれ以上のデータが存在しないことを示す指示子を受信する場合、前記パワーセーブモードに前記動作モードを設定するステップと、
を含むことを特徴とする受信装置の通信方法。
【請求項１２】
前記送信機会に対応する時間区間中に前記少なくとも１つの端末それぞれに対応するストリームは、前記チャネルを用いて同時に送信されることを特徴とする請求項１１に記載の受信装置の通信方法。
【請求項１３】
前記送信機会設定フレームが前記受信装置の属するセルのＩＤまたはＢＳＳ  ＩＤを含むか否かを確認するステップをさらに含むことを特徴とする請求項１１に記載の受信装置の通信方法。
【請求項１４】
前記受信装置が前記少なくとも１つの端末のいずれか１つであるか否かを判断するステップと、
その判断結果に応じて前記送信機会設定フレームに対する応答フレームを送信するステップと、
をさらに含むことを特徴とする請求項１２に記載の受信装置の通信方法。
【請求項１５】
前記指示子に対応するパケットが受信されたり、または、前記パケットに対するブロックＡＣＫ（ａｃｋｎｏｗｌｅｄｇｅｍｅｎｔ）を送信した後、前記送信機会の区間中に前記パワーセーブモードを保持するステップをさらに含むことを特徴とする請求項１１に記載の受信装置の通信方法。
【請求項１６】
前記受信装置は、同一のグループＩＤを有する特定グループに属する端末であることを特徴とする請求項１１に記載の受信装置の通信方法。
【請求項１７】
前記送信機会設定フレームは、前記送信機会の区間を設定するための情報を含み、
前記送信機会の取得に成功した少なくとも１つの端末によって復号化されたり、前記送信機会の取得に成功していない少なくとも１つの他の端末によって復号化されるよう生成されることを特徴とする請求項１１に記載の受信装置の通信方法。
【請求項１８】
受信装置のプロセッサが方法を実現できるように格納されたプログラム命令を含む記録媒体において、
前記方法は、
送信装置からチャネルに対する送信機会の取得に成功した少なくとも１つの端末がチャネルに対する送信機会に対応する時間区間中に当該のストリームを受信し、前記チャネルに対する送信機会の取得に成功していない少なくとも１つの他の端末がパワーセーブモードで動作するよう設定された送信機会設定フレームを受信するステップと、
前記送信機会設定フレームの受信に応答して、前記送信装置から前記送信機会に対応する時間区間中にストリームを受信したり、前記パワーセーブモードに動作モードを設定するステップと、
前記送信機会に対応する時間区間中にストリームを受信したが、前記送信機会に対応する時間区間の残った期間中に少なくとも１つの端末に送信されるこれ以上のデータが存在しないことを示す指示子を受信する場合、前記パワーセーブモードに前記動作モードを設定するステップと、
を含むことを特徴とする記録媒体。
【請求項１９】
チャネルに対する送信機会の取得に成功した少なくとも１つの端末に対応するストリームを保持する保持部と、
前記送信機会の取得に成功した少なくとも１つの端末が前記チャネルに対する送信機会に対応する時間区間中に当該のストリームを受信し、前記チャネルに対する送信機会の取得に成功していない少なくとも１つの他の端末がパワーセーブモードで動作するよう送信機会設定フレームを送信する送信部と、
を備え、
前記送信機会の取得に成功した少なくとも１つの端末のうちの前記送信機会に対応する時間区間の残った期間中に送信されるこれ以上のデータが存在しない特定端末がパワーセーブモードで動作することを指示することを特徴とする送信装置。
【請求項２０】
前記送信部は、前記送信機会に対応する時間区間中に前記少なくとも１つの端末に対応するストリームを前記チャネルを用いて同時に送信することを特徴とする請求項１９に記載の送信装置。
【請求項２１】
送信装置から、少なくとも１つの端末がチャネルに対する送信機会に対応する時間区間中に当該のストリームを受信し、前記チャネルに対する送信機会の取得に成功していない少なくとも１つの他の端末がパワーセーブモードで動作するよう設定された送信機会設定フレームを受信する受信部と、
前記送信機会設定フレームの受信に応答して、前記送信装置から前記送信機会に対応する時間区間中にストリームを受信したり、前記パワーセーブモードに動作モードを設定する設定部と、
を備え、
前記送信機会に対応する時間区間中にストリームを受信したが、前記送信機会に対応する時間区間の残った期間中に少なくとも１つの端末に送信されるこれ以上のデータが存在しないことを示す指示子を受信する場合、前記パワーセーブモードに前記動作モードを設定することを特徴とする受信装置。
【請求項２２】
前記送信機会に対応する時間区間中に前記少なくとも１つの端末それぞれに対応するストリームは、前記チャネルを用いて同時に送信されることを特徴とする請求項２１に記載の受信装置。
【請求項２３】
送信機会に対応する時間区間中にデータを受信する少なくとも１つの端末を識別し、前記送信機会に対応する時間区間中にデータが受信されない少なくとも１つの端末を識別する送信機会設定フレームを受信する受信部と、
前記送信機会に対応する時間区間中にデータが受信されない少なくとも１つの端末に含まれた端末に対応するＩＤに応答して前記受信部をパワーセーブモードに設定する設定部と、
を備え、
前記送信機会に対応する時間区間中にデータを受信したが、前記送信機会に対応する時間区間の残った期間中に追加的なデータが存在しないことを示す指示子を受信する場合、前記パワーセーブモードに前記動作モードを設定することを特徴とする端末。
【請求項２４】
前記送信機会設定フレームは第１データパケットに含まれ、
前記送信機会設定フレームは前記端末が前記送信機会に対応する時間区間中にデータを受信することを識別し、
前記第１データパケットは、前記送信機会に対応する時間区間の残った期間中に前記端末に送信される追加的なデータがあるか否かを示すＭＤＢ（Ｍｏｒｅ  Ｄａｔａ  Ｂｉｔ）をさらに含むことを特徴とする請求項２３に記載の端末。
【請求項２５】
前記端末が追加的なデータを受信できないことを示すＭＤＢに応答し、
前記設定部は、前記第１データパケットの受信を完了することによって、前記受信部をパワーセーブモードに設定することを特徴とする請求項２４に記載の端末。
【請求項２６】
前記ＭＤＢは、パケットのプリアンブルまたはＭＡＣフレームのヘッダに含まれることを特徴とする請求項２４に記載の端末。
【請求項２７】
前記送信機会設定フレームは、前記送信機会設定フレームを送信する送信装置のＩＤをさらに含むことを特徴とする請求項２３に記載の端末。
【発明の詳細な説明】
【技術分野】
【０００１】
本発明は、送信装置、受信装置及び送信装置、受信装置の通信方法に関する。
【背景技術】
【０００２】
無線チャネルを用いてデータを送信する送信装置及び受信装置の性能は技術の発展に伴って向上している。性能の向上の結果、送信装置は相対的に高いデータレート（ｄａｔａ  ｒａｔｅ）でデータを送信でき、受信装置は相対的に高いデータレートでデータを受信できる。
しかし、データレートの向上に伴って受信装置の電力消費は次第に高まっている。受信装置がバッテリで動作する場合、受信装置の電力消費は受信装置の性能を決定する重要な要素となる。したがって、受信装置がデータを受信する場合、受信装置の電力消費を減少させる技術の要求が増加している。
【発明の概要】
【発明が解決しようとする課題】
【０００３】
本発明の一側面によれば、１つ以上の端末がチャネルに対する送信機会を取得した場合、追加的な競争（ｃｏｎｔｅｎｔｉｏｎ）なしに送信効率を向上し、ＱｏＳ（Ｑｕａｌｉｔｙ  Ｏｆ  Ｓｅｒｖｉｃｅ）を保障することにある。
本発明の一側面によれば、送信機会の取得に成功していない端末の受信待機時間及び受信待機電力を減少させることにある。
また、本発明の一側面によれば、チャネルに対する送信機会を取得した端末に対してこれ以上送信するデータがない場合、他の端末に送信されるフレームあるいはパケットのオーバーヒヤリングを最小化して端末の受信待機電力を減少させることにある。
【発明の開示】
【課題を解決するための手段】
【０００４】
本発明の一実施形態に係る送信装置の通信方法は、チャネルに対する送信機会の取得に成功した少なくとも１つの端末に対応するストリームを保持するステップと、前記少なくとも１つの端末が前記チャネルに対する送信機会の区間中に当該のストリームを受信し、前記チャネルに対する送信機会の取得に成功していない少なくとも１つの他の端末がパワーセーブモードで動作するよう送信機会設定フレームを送信するステップとを含む。
【０００５】
前記送信機会に対応する時間区間中に前記少なくとも１つの端末に対応するストリームを前記チャネルを用いて同時に送信するステップをさらに含んでもよい。
【０００６】
前記少なくとも１つの端末のうち特定端末がパワーセーブモードで動作することを指示するステップを含んでもよい。
【０００７】
前記送信機会の区間中に残った時間の間に前記特定端末にデータを送信しないステップを含んでもよい。
【０００８】
前記パワーセーブモードで動作することを指示するステップは、前記送信機会区間の残った期間中に前記特定端末に送信されるこれ以上のデータが存在しないことを示す指示子を生成するステップをさらに含んでもよい。
【０００９】
前記指示子を生成するステップは、前記特定端末に送信されるパケットのプリアンブル（Ｐｒｅａｍｂｌｅ）または前記特定端末に送信されるＭＡＣ（Ｍｅｄｉａ  Ａｃｃｅｓｓ  Ｃｏｎｔｒｏｌ）フレームのヘッダを用いて、前記特定端末に送信されるこれ以上のデータが存在しないことを示す指示子を生成するステップであってもよい。
【００１０】
パワーセーブモード状態の前記特定端末に送信されるべき追加的なデータの送信機会内での発生に対する通信方法は、次の送信機会まで追加的なデータをバッファリングするステップをさらに含んでもよい。
【００１１】
前記少なくとも１つの端末に関する情報を前記少なくとも１つの端末のためのデータフレームの制御情報に含ませて送信するステップを含んでもよい。
【００１２】
前記送信機会設定フレームは、前記送信機会の区間を設定するための情報を含み、前記送信機会の取得に成功した前記少なくとも１つの端末及び前記送信機会の取得に成功していない少なくとも１つの他の端末が前記送信機会設定フレームを復号化するように生成されてもよい。
【００１３】
前記送信機会設定フレームは、前記少なくとも１つの端末が他の送信装置からの指示に応じてパワーセーブモードに間違って転換されることを防止するために、前記少なくとも１つの端末が属するセルのＩＤまたはＢＳＳ  ＩＤを含んでもよい。
【００１４】
前記少なくとも１つの端末及び前記少なくとも１つの他の端末は、同一のグループＩＤを有する特定グループに属する端末であってもよい。
【００１５】
一実施形態に係る受信装置の通信方法は、送信装置から、チャネルに対する送信機会の取得に成功した少なくとも１つの端末がチャネルに対する送信機会の区間中に当該のストリームを受信し、前記チャネルに対する送信機会の取得に成功していない少なくとも１つの他の端末がパワーセーブモードに動作するよう設定された送信機会設定フレームを受信するステップと、前記送信機会設定フレームの受信に応答して前記送信装置から前記送信機会の区間中にストリームを受信したり、前記パワーセーブモードに動作モードを設定するステップとを含む。
【００１６】
前記送信機会の区間中に前記少なくとも１つの端末それぞれに対応するストリームは、前記チャネルを用いて同時に送信されてもよい。
【００１７】
前記送信機会設定フレームが前記受信装置が属するセルのＩＤまたはＢＳＳ  ＩＤを含むか否かを確認するステップをさらに含んでもよい。
【００１８】
前記受信装置が前記少なくとも１つの端末のいずれか１つであるか否かを判断するステップと、前記判断結果に応じて前記送信機会設定フレームに対する応答フレームを送信するステップとをさらに含んでもよい。
【００１９】
前記送信機会の残っている区間中に、前記少なくとも１つの端末のうち特定端末に送信されるこれ以上のデータが存在しないことを示す指示子を受信するステップと、前記少なくとも１つの端末に送信されるデータがこれ以上存在しないことを示す指示子の受信に応答し、前記パワーセーブモードに前記動作モードを設定するステップとを含んでもよい。
【００２０】
前記指示子に対応するパケットが受信されたり、または、前記パケットに対するブロックＡＣＫ（ａｃｋｎｏｗｌｅｄｇｅｍｅｎｔ）を送信した後、前記送信機会の区間中に前記パワーセーブモードを保持するステップをさらに含んでもよい。
【００２１】
前記受信装置は、同一のグループＩＤを有する特定グループに属する端末であってもよい。
【００２２】
前記送信機会設定フレームは、前記送信機会の区間を設定するための情報を含み、前記送信機会の取得に成功した少なくとも１つの端末によって復号化されたり、前記送信機会の取得に成功していない少なくとも１つの他の端末によって復号化されるよう生成されてもよい。
【００２３】
受信装置のプロセッサが方法を実現できるように格納されたプログラム命令を含む記録媒体において、前記方法は、送信装置からチャネルに対する送信機会の取得に成功した少なくとも１つの端末がチャネルに対する送信機会の区間中に当該のストリームを受信し、前記チャネルに対する送信機会の取得に成功していない少なくとも１つの他の端末がパワーセーブモードに動作するよう設定された送信機会設定フレームを受信するステップと、前記送信機会設定フレームの受信に応答して、前記送信装置から前記送信機会の区間中にストリームを受信したり、前記パワーセーブモードに動作モードを設定するステップとを含む。
【００２４】
一実施形態に係る送信装置は、チャネルに対する送信機会の取得に成功した少なくとも１つの端末に対応するストリームを保持する保持部と、前記少なくとも１つの端末が前記チャネルに対する送信機会の区間中に当該のストリームを受信し、前記チャネルに対する送信機会の取得に成功していない少なくとも１つの他の端末がパワーセーブモードに動作するよう送信機会設定フレームを送信する送信部とを備える。
【００２５】
前記送信部は、前記送信機会の区間中に前記少なくとも１つの端末に対応するストリームを前記チャネルを用いて同時に送信してもよい。
【００２６】
一実施形態に係る受信装置は、送信装置から、少なくとも１つの端末がチャネルに対する送信機会に対応する区間中に当該のストリームを受信し、前記チャネルに対する送信機会の取得に成功していない少なくとも１つの他の端末がパワーセーブモードで動作するよう設定された送信機会設定フレームを受信する受信部と、前記送信機会設定フレームの受信に応答して、前記送信装置から前記送信機会の区間中にストリームを受信したり、前記パワーセーブモードに動作モードを設定する設定部とを備える。
【００２７】
前記送信機会の区間中に前記少なくとも１つの端末それぞれに対応するストリームは、前記チャネルを用いて同時に送信されてもよい。
【００２８】
一実施形態に係る端末は、送信機会中にデータを受信する少なくとも１つの端末を識別し、前記送信機会中にデータが受信されない少なくとも１つの端末を識別する送信機会設定フレームを受信する受信部と、前記送信機会中にデータが受信されない少なくとも１つの端末に含まれた端末に対応するＩＤに応答して前記受信部をパワーセーブモードに設定する設定部とを備える。
【００２９】
前記送信機会設定フレームは第１データパケットに含まれ、前記送信機会設定フレームは前記端末が前記送信機会中にデータを受信することを識別し、前記第１データパケットは、前記送信機会の残った期間中に前記端末に送信される追加的なデータがあるか否かを示すＭＤＢ（Ｍｏｒｅ  Ｄａｔａ  Ｂｉｔ）をさらに含んでもよい。
【００３０】
前記端末が追加的なデータを受信できないことを示すＭＤＢに応答し、前記設定部は、前記第１データパケットの受信を完了することによって、前記受信部をパワーセーブモードに設定してもよい。
【００３１】
前記ＭＤＢは、パケットのプリアンブルまたはＭＡＣフレームのヘッダに含まれてもよい。
【００３２】
前記送信機会設定フレームは、前記送信機会設定フレームを送信する送信装置のＩＤをさらに含んでもよい。
【発明の効果】
【００３３】
一実施形態によれば、１つ以上の端末がチャネルに対する送信機会を取得した場合、当該端末に対するストリームを送信することによって追加的な競争（ｃｏｎｔｅｎｔｉｏｎ）なしに送信効率を向上させることができ、ＱｏＳ（Ｑｕａｌｉｔｙ  Ｏｆ  Ｓｅｒｖｉｃｅ）を保障することができる。
【００３４】
一実施形態によれば、送信機会設定フレーム（ＴＸＯＰ  ｓｅｔｔｉｎｇ  ｆｒａｍｅ）を用いて送信機会の取得に成功していない少なくとも１つの端末がパワーセーブモードで動作することで、端末の受信待機時間及び受信待機電力を減少させる。
また、一実施形態によれば、チャネルに対する送信機会を取得した端末に対してこれ以上送信するデータがない場合、当該端末がパワーセーブモードで動作することで、他の端末に送信されるフレームあるいはパケットのオーバーヒヤリング（ｏｖｅｒｈｅａｒｉｎｇ）を最小化して端末の受信待機電力を減少させる。
【図面の簡単な説明】
【００３５】
【図１】本発明の一実施形態に係る送信装置と受信装置を含むネットワーク構成を示す図である。
【図２】本発明の一実施形態に係る送信機会（Ｔｒａｎｓｍｉｓｓｉｏｎ  Ｏｐｐｏｒｔｕｎｉｔｙ；ＴＸＯＰ）を活用した通信方法を説明するための図である。
【図３】本発明の一実施形態に係る送信機会設定期間（ＴＸＯＰ  ｓｅｔｔｉｎｇ  ｐｅｒｉｏｄ）を説明するための図である。
【図４】本発明の一実施形態に係る隣接セルまたはＢＳＳが重なったオーバラップされたＢＳＳ状況を示す図である。
【図５】本発明の一実施形態に係る送信装置の通信方法を示したフローチャートである。
【図６】本発明の一実施形態に係る受信装置の通信方法を示したフローチャートである。
【図７】本発明の一実施形態に係る送信装置のブロック図である。
【図８】本発明の一実施形態に係る受信装置のブロック図である。
【発明を実施するための形態】
【００３６】
以下、本発明に係る実施形態を添付する図面を参照しながら詳細に説明する。しかし、本発明が一実施形態によって制限されたり限定されることはない。また、各図面に提示された同一の参照符号は同一の部材を示す。
【００３７】
下記の実施形態は、ＳＵ（Ｓｉｎｇｌｅ  Ｕｓｅｒ）ＭＩＭＯ（Ｍｕｌｔｉｐｌｅ−ｉｎｐｕｔ  Ｍｕｌｔｉｏｌｅ−ｏｕｔｐｕｔ）及びＭＵ（Ｍｕｌｔｉ  Ｕｓｅｒ）ＭＩＭＯの全てに対して適用できる。
図１は、本発明の一実施形態に係る送信装置及び受信装置を含むネットワーク構成を示す図である。一実施形態は、送信機会を取得した端末及び送信機会を取得しない端末を含んでもよい。一実施形態に係る端末は、移動端末のようなスマートフォン、コンピュータ、センサ、ホームアプリケーション、ラブレット、ＭＰ３プレーヤーなどを含む。
【００３８】
図１を参照すると、送信装置ＡＰ（１）１０１は、チャネルに対する送信機会（Ｔｒａｎｓｍｉｓｓｉｏｎ  Ｏｐｐｏｒｔｕｎｉｔｙ；ＴＸＯＰ）の取得に成功した少なくとも１つの端末それぞれに対応するストリームを保持（ｍａｉｎｔａｉｎ）する。また、送信装置１０１は、送信機会に対応する時間区間中に送信機会の取得に成功した少なくとも１つの端末それぞれに対応するストリームを当該チャネルを用いて同時に送信する。
【００３９】
ここで、端末が送信機会の取得に成功したとは、送信装置ＡＰ（１）１０１が特定の時間区間中に（以下、ＴＸＯＰデュレーション）その端末のためのストリームを送信することを意味する。反対に、端末が送信機会の取得に成功しないとは、送信装置ＡＰ（１）１０１が特定の時間区間中に（以下、ＴＸＯＰデュレーション）その端末のためのストリームを送信しないことを意味する。
【００４０】
ここで、「同時に」送信することは、空間的（ｓｐａｔｉａｌ）に同時に送信または多重ユーザによるＭＩＭＯを用いることを意味する。しかし、ストリームが同時に送信されることが、少なくとも１つの端末それぞれに対応するストリームの送信が必ず同時に開始して同時に終了することを意味しない。
すなわち、受信装置のうち、送信機会の取得に成功した端末が３つであると仮定すれば、３つの端末それぞれに対するストリームの送信は互いに異なる時間に開始されてもよい。また、３つの端末それぞれに対して送信するデータ量の差などに応じて送信終了の時点が変わり得る。
【００４１】
図１に示す実施形態は、受信装置（第１受信装置１０３、第２受信装置１０５、第３受信装置１０７、第４受信装置１０９）を備える。一実施形態において、第１受信装置１０３、第２受信装置１０５、及び第３受信装置１０７はチャネルに対する送信機会の取得に成功した端末であり、第４受信装置１０９は、チャネルに対する送信機会の取得に成功していない端末であると仮定する。
【００４２】
送信装置１０１は、チャネルに対する送信機会の取得に成功した端末（ここで、第１受信装置１０３、第２受信装置１０５、及び第３受信装置１０７）それぞれに対応するストリームを維持する。また、送信装置１０１は、送信機会に対応する時間区間中に送信機会の取得に成功した端末それぞれに対応するストリームを当該チャネルを用いて同時に送信する。
各受信装置は、同一のグループＩＤを有する特定グループに属する端末または別個の端末のいずれか１つであってもよい。
【００４３】
図２は、本発明の一実施形態に係る送信機会（Ｔｒａｎｓｍｉｓｓｉｏｎ  Ｏｐｐｏｒｔｕｎｉｔｙ；ＴＸＯＰ）を活用した通信方法を説明するための図である。
１つあるいは１つ以上の端末にデータを送信しようとする送信装置２０１は、チャネルに対する送信機会（Ｔｒａｎｓｍｉｓｓｉｏｎ  Ｏｐｐｏｒｔｕｎｉｔｙ）に対応する時間区間、すなわち、ＴＸＯＰデュレーション（ｄｕｒａｔｉｏｎ）２００が割当てられ、その期間中にチャネル使用に関する権限を独占する。
送信装置２０１は、送信機会を取得した無線チャネルを用いて受信装置２０３、２０５、２０７、２０９にデータを送信する。
【００４４】
図１を参照して仮定したように、第１受信装置２０３、第２受信装置２０５及び第３受信装置２０７はチャネルに対する送信機会の取得に成功した端末であり、第４受信装置２０９はチャネルに対する送信機会の取得に成功しない端末であると仮定する。
送信装置２０１は、制御情報及びデータを含むパケットを各受信装置２０３、２０５、２０７、２０９に送信してもよい。送信装置２０１は、チャネルに対する送信機会の取得に成功した受信装置に関する情報を当該の受信装置のためのデータフレームの制御情報に含ませて送信してもよい。
【００４５】
ここで、第４受信装置２０９は、チャネルに対する送信機会の取得に成功していないため当該のチャネルを利用することができず、送信機会に対応する時間区間、すなわち、ＴＸＯＰデュレーション２００間のパワーセーブモード（ｐｏｗｅｒ  ｓａｖｉｎｇ  ｍｏｄｅ）で動作する。
パワーセーブモードで、第４受信装置２０９は、他の端末に送信されるフレームあるいはパケットをオーバーヒヤリング（ｏｖｅｒｈｅａｒｉｎｇ）しない。また、パワーセーブモードで、第４受信装置２０９は、自身に送信されるフレームあるいはパケットを受信するためのアクティブ（Ａｃｔｉｖｅ）受信動作も行わないことから、消費電力の最小化を図る。
【００４６】
パケット２１０、２３０に含まれた制御情報のうち、プリアンブル２１１、２３１は各受信装置２０３、２０５、２０７がチャネルを推定したりパケットを検出するために用いられる。ＶＨＴ−ＳＩＧ（Ｖｅｒｙ  Ｈｉｇｈ  Ｔｈｒｏｕｇｈｐｕｔ  ＳＩＧｎａｌ  ｆｉｅｌｄ）２１２、２３２は、高いデータレートでデータを受信する受信装置２０３、２０５、２０７に対する制御信号を含む。
【００４７】
パケット２１０、２３０の各データ領域２１３、２１５、２１７、２３３、２３５に含まれたデータに対する変調方式及びチャネルコーディング方式などに関する情報は制御信号の一例である。
パケット２１０、２３０は、データ領域２１３、２１５、２１７、２３３、２３５を含む。
【００４８】
データ領域２１３、２１５、２１７、２３３、２３５は、各受信装置２０３、２０５、２０７に送信されるデータを含み、パケットの終了時点の前にも各データ領域に含まれたデータの送信が完了すれば、当該の受信装置に対する送信は終了する。
すなわち、最初のパケット２１０で、第１データ領域２１３は第１データの送信が完了すれば終了し、第２データ領域２１５は第２データの送信が完了すれば終了する。最初のパケット２１０で第３データはパケットの終了時点まで送信が完了しないため、第３データ領域２１７はパケットの終了時点で終了される。各データ領域の後にはパッド（ｐａｄ）２１４、２１６、２３４が付加されてもよい。
【００４９】
データ領域２１３、２１５、２１７、２３３、２３５は、各データに対する送信完了メッセージを追加的に含んでもよい。当該のパケットまたは当該のチャネルに対する送信機会に対応する時間区間、すなわち、ＴＸＯＰデュレーション２００間に各受信装置に送信される追加データの送信があるか否かを示すＭＤＢ（Ｍｏｒｅ  Ｄａｔａ  Ｂｉｔ）が送信完了メッセージとして用いられてもよい。
例えば、ＴＸＯＰデュレーション２００間に送信された最初のパケット内で第１データの送信が完了すると、これ以上第１受信装置２０３に送信されるデータはない。この場合、第１受信装置２０３に対するＭＤＢ値は「０」に決定され、第１受信装置２０３に対するＭＤＢは第１データ領域２１３の終りの部分に含まれて第１受信装置２０３に送信されてもよい。
【００５０】
第１受信装置２０３はＭＤＢの値が「０」であるパケットを受信し、これ以上自身に対するデータ送信がないものと判断する。第１受信装置２０３は、第１データの送信が完了した後、パワーセーブモードで動作して電力消費を減少させる。
【００５１】
最初のパケット２１０の第３データ領域２１７及び２番目のパケット２３０内の第３データ領域２３５で第３データの送信が完了したものの、第３受信装置２０７に送信される第３データが残っていれば、第３データの残り部分は、以後のパケット内の第３データ領域を用いて送信される。この場合、第３データの残りの部分が残っているためＭＤＢの値は「１」に決定されてもよい。
【００５２】
各受信装置２０３、２０５、２０７、２０９は、ＴＸＯＰデュレーション２００中にパケットを受信し、各受信装置は、受信されたパケットに対する受信確認メッセージ（ＡＣＫまたはＢｌｏｃｋＡｃｋ（ＢＡ））２５０、２６０、２６５、２７０、２７５を送信装置２０１に送信する。
【００５３】
例えば、送信装置２０１は、ＴＸＯＰデュレーション２００中に同一のグループＩＤを有する特定グループに属する受信装置または別個の受信装置にデータを送信してもよい。
そして、ＴＸＯＰデュレーション２００中に特定グループ内の特定の受信装置にこれ以上送信するデータがない場合、送信装置２０１は、ＴＸＯＰデュレーション中に現在送信するフレームあるいはパケットにさらに送信するデータがないことを指示（ｉｎｄｉｃａｔｉｏｎ）した後、残ったＴＸＯＰデュレーション中に当該の受信装置にこれ以上データを送信しない。
【００５４】
送信装置２０１は、ＴＸＯＰデュレーション２００中に特定の受信装置に送信されるこれ以上のデータがないことを示す指示子を生成してもよい。送信装置２０１は、特定の受信装置に送信されるデータがこれ以上存在しないことを示すため、上述のように１ＢｉｔのＭＤＢ（Ｍｏｒｅ  Ｄａｔａ  Ｂｉｔ）を用いてもよい。
例えば、図２を参照すると、送信装置２０１は、第１データパケット２１０以外に第１受信装置２０３に送信する追加的なデータを有しない。したがって、第１受信装置２０３に関連するＭＳＢは、第１受信装置２０３にＴＸＯＰ２００中に第１受信装置装置２０３に送信されるこれ以上のデータがないことを知らせるため第「０」に設定されてもよい。一実施形態において、第１受信装置２０３はＴＸＯＰ２００の残った期間中にパワーセーブモードに進入してもよい。
【００５５】
図２に示す実施形態において、第１パケット２１０に加えて送信装置２０１は、第２受信装置２０５及び第３受信装置２０７に送信される追加的なデータを含む。したがって、第２受信装置２０５及び第３受信装置２０７それぞれに対応するＭＳＢは、ＴＸＯＰ２００中に受信装置２０５、２０７それぞれに送信される追加的なデータがあることを示すために「１」に設定されてもよい。
【００５６】
第２パケット２３０の送信後、送信装置２０１は第２受信装置２０５に送信される追加的なデータを有しないが、第３受信装置２０７に送信するデータを有する。したがって、送信装置２０１は、第２受信装置２０５に対応するＭＳＢを「０」に設定し、第３受信装置２０７に対応するＭＳＢを「１」に設定してもよい。第２受信装置２０５に対応するＭＳＢが「０」に設定されるよう決定した場合、第２受信装置２０５はパワーセーブ状態に進入してもよい。
【００５７】
一実施形態において、「０」及び「１」のビット値は単に一実施形態に過ぎず、このような範囲を限定するものと理解する必要はない。識別のために、例えば、文字、数字、信号、色、大きさなどを用いもよい。
ここで、ＭＤＢは、各受信装置に送信されるパケットのプリアンブル（ｐｒｅａｍｂｌｅ）または各受信装置に送信されるＭＡＣフレームのヘッダ（ｈｅａｄｅｒ）に含まれてもよい。
【００５８】
各受信装置２０３、２０５、２０７はＭＤＢが「０」である場合、当該のパケットの受信を終了した後、または当該のパケットに対するＡＣＫ（または、ＢＡ）を送信した後ＴＸＯＰデュレーション２００の最後までパワーセーブモードを保持する。
【００５９】
送信装置２０１は、ＭＤＢを「０」に設定した受信装置がパワーセーブモードで動作するようＴＸＯＰデュレーション２００のうち残った時間中に当該の受信装置にデータを送信しない。
送信装置２０１は、例えば、第１受信装置２０３に追加送信するデータがないことを指示した後、ＴＸＯＰ中に第１受信装置２０３に送信するデータが再発生した場合、例えば、次にチャネルを占有するまで当該データをバッファに格納し、その後データを送信する。すなわち、送信装置２０１は、送信機会に対応する時間区間中に残った時間の間に第１受信装置２０３へ送信するデータが発生した場合、第１受信装置２０３に対する次の時間区間まで送信するデータをバッファリングしてもよい。
ここで、「次のチャネルを占有するまで」とは、送信機会に対応する次の時間区間までを意味し、ＴＸＯＰデュレーション２００の次のＴＸＯＰデュレーションを意味する。
【００６０】
チャネルに対する送信機会を取得した特定の受信装置（例えば、第１受信装置２０３、第２受信装置２０５及び第２受信装置２０７など）が一定の期間中にチャネルを占有するため、他の受信装置（例えば、第４受信装置２０９のようにチャネルに対する送信機会の取得に成功していない端末）は、セルあるいはＢＳＳ内に当該のＴＸＯＰデュレーション中にチャネル接続を控えなければならない。
【００６１】
他の受信装置が当該のＴＸＯＰデュレーション中にチャネルの接続を控えるようにするため、セルあるいはＢＳＳ内の全ての受信装置がこれを認識できるように送信機会（ＴＸＯＰ）を設定しなければならない。送信機会を設定する方法については図３を参照して説明する。
【００６２】
図３は、本発明の一実施形態に係る送信機会設定期間（ＴＸＯＰ  ｓｅｔｔｉｎｇ  ｐｅｒｉｏｄ）を説明するための図である。
送信装置３０１は、送信機会設定期間３１０中に送信機会設定フレーム（ＴＸＯＰ  ｓｅｔｔｉｎｇ  ｆｒａｍｅ）３２０を送信してチャネルに対する送信機会に対応する時間区間、すなわち、ＴＸＯＰデュレーション３３０を設定する。
【００６３】
送信機会設定フレーム３２０は、送信機会に対応する時間区間、すなわち、ＴＸＯＰデュレーション３３０を設定するための情報を含む。送信機会設定フレーム３２０は、セルあるいはＢＳＳ内の全ての受信装置が認識できる形態に送信する。例えば、セル内の全ての受信装置は、チャネルに対する送信機会を取得した受信装置及びチャネルに対する送信機会の取得に成功していない受信装置の全てを含んでもよい。
【００６４】
すなわち、例えば、送信機会設定フレーム３２０には多重ユーザプリコーディング（ｐｒｅ−ｃｏｄｉｎｇ）などの方式などを適用することなく、セル内の全ての受信装置が当該のフレームを復号化するように生成される。
【００６５】
そして、ＴＸＯＰパワーセーブ指示を含む場合、送信機会設定フレーム３２０には当該のＴＸＯＰパワーセーブ方式の適用有無が選択されたり、当該のＴＸＯＰデュレーション３３０のターゲット受信グループの情報が含まれてもよい。ここで、ターゲット受信グループ情報は、チャネルに対する送信機会の取得に成功した同一のグループＩＤを有する特定グループ、及びその特定グループに属する受信装置に関する情報であってもよい。
【００６６】
もし、送信機会設定フレーム３２０がターゲット受信グループの情報を含む場合、当該受信グループに含まれていない受信装置は、送信機会設定フレーム３２０の後からＴＸＯＰデュレーション３３０の最後までパワーセーブモードで動作する。
【００６７】
ターゲット受信グループに属する１つあるいは１つ以上の受信装置は、送信機会設定フレーム３２０に対して応答フレーム（Ｒｅｓｐｏｎｓｅ  ｆｒａｍｅ）３６０を送信してもよい。応答フレーム３６０は、送信機会設定フレーム３２０に含まれた内容の一部あるいは全体を含んでもよい。
【００６８】
これによって、送信機会設定フレーム３２０を受信されない隠れノード（ｈｉｄｄｅｎ  ｎｏｄｅ）もＴＸＯＰの設定が可能になる。１つ以上の受信装置が応答フレーム３６０を送信する場合、予め定義された順と方法によって送信してもよく、そうではない場合に当該情報は送信機会設定フレーム３２０に含まれてもよい。
【００６９】
上述したように、図３ではチャネルに対する送信機会に対応する時間区間ＴＸＯＰデュレーション３３０を設定するために送信機会設定期間３１０を用いてもよい。
ＴＸＯＰデュレーション３３０を設定するための送信機会設定期間３１０中に、送信装置３０１は、セル内のデータ受信装置３０３、３０５、３０７、３０９に送信機会設定フレーム３２０を送信する。
【００７０】
送信機会設定フレーム３２０は、チャネルに対する送信機会の取得に成功した少なくとも１つの受信装置がチャネルに対する送信機会に対応する時間区間中に当該のストリームを受信し、チャネルに対する送信機会の取得に成功していない少なくとも１つの受信装置がパワーセーブモードで動作させる。
【００７１】
送信機会設定フレーム３２０は、プリアンブル３２１、Ｌ−ＳＩＧ３２２及びＴＸＯＰデュレーション３３０を設定するためのＴＸＯＰ設定情報３２３を含む。
【００７２】
受信装置３０３、３０５、３０７、３０９は、ＴＸＯＰ設定情報３２３を用いてチャネルに対する送信機会に対応する時間区間を設定する。
送信装置３０１からデータを受信する受信装置３０３、３０５、３０７は、ＴＸＯＰデュレーション３３０中に無線チャネルにアクセスして送信装置３０１からパケットまたはフレームを受信する。
【００７３】
しかし、データを受信しない受信装置３０９は、ＴＸＯＰデュレーション３３０中に無線チャネルにアクセスされない場合がある。
【００７４】
ＴＸＯＰ設定情報３２３は、受信装置３０３、３０５、３０７、３０９のうちデータ送信装置３０１からデータを受信するデータ受信装置のグループに関する情報を含んでもよい。
受信装置３０３、３０５、３０７、３０９は、送信機会設定フレーム３２０に含まれたＴＸＯＰ設定情報３２３を用いてＴＸＯＰデュレーション３３０を設定する。ＴＸＯＰデュレーション３３０中に送信装置３０１と受信装置３０３、３０５、３０７、３０９は、図２を参照して説明したものと類似の方法に基づいてデータを送信してもよい。
【００７５】
第１受信装置３０３は、ＴＸＯＰ設定情報３２３に対する応答フレーム３６０をデータ送信装置に送信してもよい。応答フレーム３６０は、複数の送信装置のカバレッジ（ｃｏｖｅｒａｇｅｓ）が重なる場合、受信装置の混線を防止することができる。
【００７６】
以下、図４を参照して複数の送信装置のカバレッジが重なった場合について説明する。
図４は、本発明の一実施形態に係る隣接セルまたはＢＳＳが重なったオーバーラップ（Ｏｖｅｒｌａｐｐｅｄ）されたＢＳＳ状況を示す図である。
【００７７】
図４を参照すると、受信装置ＳＴＡ１−２はＢＳＳ（Ｂａｓｉｃ  Ｓｅｒｖｉｃｅ  Ｓｅｔ）１に含まれた端末に対応し、ＢＳＳ２のカバレッジにも含まれ、ＡＰ１（第１送信装置）のみならずＡＰ２（第２送信装置）から送信されるフレーム（または、パケット）も受信してもよい。
【００７８】
もし、受信装置ＳＴＡ１−２が送信機会設定フレーム（ＴＸＯＰ  ｓｅｔｔｉｎｇ  ｆｒａｍｅ）を受信した場合、受信装置ＳＴＡ１−２がどのようなＢＳＳから受信した送信機会設定フレームであるかを区分できない場合がある。
このような場合、受信装置ＳＴＡ１−２は、隣接するオーバーラップＢＳＳであるＡＰ２から受信された送信機会設定フレームによりパワーセーブモードに間違って転換されることがある。結局、受信装置ＳＴＡ１−２はＢＳＳ１からのフレームを受信できない場合がある。
【００７９】
本発明の一実施形態では、送信機会設定フレーム内にＳＴＡ１−２のような受信装置が属するセルまたは受信装置が属するＢＳＳのＩＤに関する情報を含んでもよい。前記情報は、ＳＴＡ１−２のように隣接セルまたはＢＳＳが重なったオーバーラップＢＳＳ領域の受信装置が異なる送信装置（ここでは、ＡＰ２）からの指示に基づいてパワーセーブモードに間違って転換されることを防止する。
【００８０】
図５は、本発明の一実施形態に係る送信装置の通信方法を示したフローチャートである。
送信装置は、少なくとも１つの受信装置にパケットまたはフレームを送信するためにチャネルに対するアクセスを取得（５１０）した後、受信装置がＴＸＯＰパワーセーブを用いるか否かを判断する（５２０）。
【００８１】
受信装置がＴＸＯＰパワーセーブを利用しなければ、送信装置は一般的なパケット送信方法に基づいてパケットまたはフレームを送信する（５９０）。しかし、受信装置がＴＸＯＰパワーセーブを用いる場合、送信装置は受信装置に送信機会設定フレームを送信する（５３０）。
【００８２】
送信機会設定フレームを送信することは、チャネルに対する送信機会の取得に成功した受信装置がチャネルに対する送信機会に対応する区間中に当該のストリームを受信するためである。また、送信機会設定フレームは、チャネルに対する送信機会の取得に成功していない受信装置をパワーセーブモードで動作させるためのものでもある。
【００８３】
ここで、送信装置は、受信装置のうちチャネルに対する送信機会の取得に成功した受信装置それぞれに対応するストリームを保持する。送信装置は、送信機会区間中にチャネルに対する送信機会の取得に成功した受信装置それぞれに対応するストリームをチャネルを用いて同時に送信する。
ここで、受信装置は、同一のグループＩＤを有する特定グループに属する端末または別個の端末のいずれか１つであってもよい。
【００８４】
送信機会設定フレームは、受信装置が属するセルまたはＢＳＳ  ＩＤに関する情報を含む。したがって、送信機会設定フレームは、受信装置が他の送信装置の結果としてパワーセーブモードに間違って転換されることを防止する。
【００８５】
送信装置は、ＴＸＯＰデュレーション中に各受信装置に送信されるデータの他に追加的なデータが存在するか、またはデータが存在しないかを判断する（５４０）。
【００８６】
もし、追加的なデータが存在しなければ（すなわち、ＴＸＯＰ中に受信装置に送信されるデータがこれ以上なければ）、送信装置はＴＸＯＰデュレーション中に当該の受信装置に対して送信されるデータがこれ以上存在しないことを示す指示子であるＭＤＢ（Ｍｏｒｅ  Ｄａｔａ  Ｂｉｔ）を「０」に設定する（５５０）。
【００８７】
ここで、ＭＤＢを「０」に設定することは、送信装置が当該の受信装置のパワーセーブモードへの動作を指示することを意味する。受信装置がパワーセーブモードで動作されるよう、送信装置はＴＸＯＰデュレーション中残った時間の間に当該の受信装置にデータを送信しないことがある。
【００８８】
一方、追加的なデータが存在すれば、送信装置は当該の受信装置に対するＭＤＢを「１」に設定し、追加的なデータが存在することを表示する（５６０）。
【００８９】
送信装置は、ＴＸＯＰ中に送信される残ったデータを有する各受信装置に対するパケットまたはフレームを送信する（５７０）。ここで、各受信装置に送信されるパケットのプリアンブルまたはＭＡＣフレームのヘッダにＭＢＤが含まれてもよい。
【００９０】
ＭＤＢが「０」と設定されてパケットの受信を終了した後、または当該のパケットに対するＡＣＫ（または、ＢＡ（Ｂｌｏｃｋ  ＡＣＫ））を送信した後、受信装置は、ＴＸＯＰデュレーション中にパワーセーブモードを保持することで電力消費を減少させる。
【００９１】
送信装置はＴＸＯＰデュレーションの終わりであるか否かを判断し、もし、ＴＸＯＰデュレーションの終わりであれば、送信装置は動作を終了する（５８０）。しかし、ＴＸＯＰデュレーションの終わりでなければ、送信装置は再びステップ５４０に戻る。
【００９２】
図６は、本発明の一実施形態に係る受信装置の通信方法を示したフローチャートである。
【００９３】
図６を参照すると、受信装置は、送信装置からパケットまたはフレームを受信（６０５）した後、当該のパケットまたはフレームが送信機会設定フレームであるか否かを確認する（６１０）。
【００９４】
送信機会設定フレームは、チャネルに対する送信機会の取得に成功した端末がチャネルに対する送信機会に対応する時間区間、すなわち、ＴＸＯＰデュレーション中に当該のストリームを受信するように設定される。また、送信機会設定フレームは、チャネルに対する送信機会の取得に成功していない端末がパワーセーブモードで動作するよう設定される。
ここで、送信機会設定フレームは送信機会に対応する時間区間、すなわち、ＴＸＯＰデュレーション（ＴＸＯＰ  ｄｕｒａｔｉｏｎ）を設定するための情報を含み、チャネルに対する送信機会の取得に成功した端末及び成功していない端末の全てが送信機会設定フレームを復号化することができるように生成されてもよい。
【００９５】
ステップＳ６１０において、受信したフレームが送信機会設定フレームでなければ、受信装置は一般的な受信プロセスにより動作する（６８０）。
一方、受信したフレームが送信機会設定フレームであれば、受信装置は当該のフレームが有効なＢＳＳ  ＩＤを含むか否かを確認する（６１５）。
【００９６】
ここで、有効なＢＳＳ  ＩＤとは、受信装置が属するセルまたはＢＳＳ  ＩＤに関する情報を意味する。受信装置が有効なＢＳＳ  ＩＤを確認する理由は、受信装置が自身のセルではない他のセルの送信装置から送信されたフレームを間違って受信し、パワーセーブモードで動作することを防止するためである。
【００９７】
当該のフレームが有効なＢＳＳ  ＩＤを含むものと判断されれば、受信装置は、送信機会設定フレームの受信に応答して送信装置から送信機会に対応する時間区間中にストリームを受信したり、パワーセーブモードに動作モードを設定するようにＴＸＯＰデュレーションを設定する（６２０）。
他の実施形態として、もし、受信したフレームが受信装置に有効するＢＳＳ  ＩＤを含まない場合、受信装置は動作を終了する。
【００９８】
受信装置は、送信機会設定フレームに基づいて自身が送信装置からデータを受信する受信装置、すなわち、チャネルに対する送信機会の取得に成功した受信装置であるかを判断する（６２５）。
【００９９】
送信装置は、ＴＸＯＰデュレーション中に複数の受信装置のうち一部の受信装置を選択し、選択された受信装置に限ってデータを送信してもよい。また、送信装置は、送信機会設定フレームのＴＸＯＰ設定情報にデータを受信する受信装置の識別子（例えば、ＢＳＳ  ＩＤなど）を含んで送信し、受信装置は、ＴＸＯＰ設定情報に含まれた受信装置の識別子に基づいて当該ＴＸＯＰデュレーション中にデータを受信するか否かを判断する。
【０１００】
ステップ６２５において、受信装置は自身がチャネルに対する送信機会の取得に成功した受信装置ではないと判断すれば、ＴＸＯＰデュレーションの最後までパワーセーブモードを保持（６７０）することで、電力消費を減少する。
【０１０１】
受信装置は、ステップ６２５における判断結果に応じて、自身が当該の送信機会設定フレームに対する応答フレームを送信する受信装置であるか否かを確認（６３０）し、該当すれば、送信装置に応答フレーム（または、パケット）を送信する（６３５）。
【０１０２】
その後、受信装置は送信装置からパケットを受信する（６４０）。
ステップ６３０において、受信装置は自身が応答フレームを送信する受信装置でなければ、応答フレームを送信せず直ちに６４０ステップを行う。
【０１０３】
ステップ６４０において、受信装置はパケットを受信する。例えば、受信装置は、ＴＸＯＰデュレーション中に受信装置に送信されるデータがこれ以上存在しないことを示す指示子を受信する。ここで、受信装置に送信されるデータがこれ以上存在しないことを示す指示子はＭＤＢ（Ｍｏｒｅ  Ｄａｔａ  Ｂｉｔ）であってもよい。ＭＤＢが「１」に設定された場合、受信装置に送信されるデータがあることを意味し、ＭＤＢが「０」と設定された場合、受信装置に送信されるデータがないことを意味する。
【０１０４】
受信装置は、送信装置から当該の受信装置に送信されたデータがあるか否かを確認する（６４５）。
もし、ステップ６４５において、当該の受信装置に対して送信されたデータがなければ、受信装置はデータを復号化せず、ＴＸＯＰデュレーションの終わりであるか否かを確認する（６６５）。
【０１０５】
ステップ６４５において、当該の受信装置に対して送信されたデータがあれば、受信装置はパケットを復号化（６５０）し、受信されたパケットに対するＢＡ（Ｂｌｏｃｋ  ＡＣＫ）を送信する（６５５）。
【０１０６】
その後、受信装置はＭＤＢの値が「０」であるか否かを確認する（６６０）。ＭＤＢの値が「１」であれば、受信装置は再びステップ６４０に戻ってパケットを受信する。
もし、ＭＤＢの値が「０」であれば、受信装置はこれ以上受信するパケットがないためＴＸＯＰデュレーションの終わりであるか否かを確認する（６６５）。
【０１０７】
もし、ＴＸＯＰデュレーションの終わりであれば受信装置は動作を終了するが、終わりでなければ、受信装置はＴＸＯＰデュレーションの最後までパワーセーブモードを保持する（６７０）。
受信装置は、当該のパケットの受信を終了した後、または当該のパケットに対するＡＣＫ（ここでは、ＢＡ）を送信した後、ＴＸＯＰデュレーション中にパワーセーブモードを保持する。
【０１０８】
図７は、本発明の一実施形態に係る送信装置のブロック図である。
図７を参照すると、送信装置７００は保持部７１０及び送信部７３０を備える。
【０１０９】
保持部７１０は、チャネルに対する送信機会の取得に成功した端末それぞれに対応するストリームを保持する。
送信部７３０は、少なくとも１つの第１端末がチャネルに対する送信機会に対応する時間区間中に当該のストリームを受信し、チャネルに対する送信機会の取得に成功していない少なくとも１つの第２端末がパワーセーブモードに動作するよう送信機会設定フレームを送信する。
また、送信部７３０は、送信機会に対応する時間区間中に少なくとも１つの第１端末それぞれに対応するストリームをチャネルを用いて同時に送信する。
【０１１０】
また、送信装置７００は指示部７５０をさらに含んでもよい。
指示部７５０は、特定端末がパワーセーブモードで動作することを指示する。ここで、送信装置は、送信機会に対応する時間区間中に残った時間の間に特定端末にデータを送信できないことがある。
指示部７５０は、送信機会に対応する時間区間中に特定端末に送信されるデータがこれ以上存在しないことを示す指示子を生成する。
【０１１１】
図８は、本発明の一実施形態に係る受信装置のブロック図である。
図８を参照すると、受信装置８００は受信部８１０、設定部８３０を備える。
【０１１２】
受信部８１０は、送信装置から少なくとも１つの端末がチャネルに対する送信機会に対応する区間中に当該のストリームを受信し、チャネルに対する送信機会の取得に成功していない少なくとも１つの第２端末がパワーセーブモードで動作するよう設定された送信機会設定フレームを受信する。
【０１１３】
設定部８３０は、送信機会設定フレームの受信に応答して送信装置から送信機会に対応する区間中にストリームを受信したり、パワーセーブモードに動作モードを設定する。
【０１１４】
ここで、送信機会の区間中に少なくとも１つの端末それぞれに対応するストリームはチャネルを用いて同時に送信される。
【０１１５】
受信装置８００は確認部８５０をさらに備えてもよい。
確認部８５０は、送信機会設定フレームが受信装置の属するセルまたはＢＳＳ  ＩＤに関する情報を含んでいるか否かを確認する。
【０１１６】
上述した方法は、多様なコンピュータ手段によって行うことができるプログラム命令の形態で実現されても良く、かかるプログラム命令は、コンピュータ読み出し可能媒体に記録されてもよい。前記コンピュータ読み出し可能媒体は、プログラム命令、データファイル、データ構造などを単独または組み合わせたものを含んでもよい。前記媒体に記録されるプログラム命令は、本発明のために特別に設計して構成されたものでもよく、コンピュータソフトウェア分野の技術を有する当業者にとって公知のものであり使用可能なものであってもよい。
【０１１７】
以上のように本発明を限定された実施形態と図面によって説明したが、本発明は、上記の実施形態に限定されることなく、本発明が属する分野における通常の知識を有する者であれば、このような記載から多様な修正及び変形が可能である。
したがって、本発明の範囲は、説明された実施形態に限定されて定められるものではなく、特許請求の範囲及び特許請求の範囲と均等なものなどによって定められるものである。
【符号の説明】
【０１１８】
１０１、２０１、３０１  送信装置
１０３、２０３、３０３  第１受信装置
１０５、２０５、３０５  第２受信装置
１０７、２０７、３０７  第３受信装置
１０９、２０９、３０９  第４受信装置
２００、３３０  ＴＸＯＰデュレーション
３１０  送信機会設定期間
３２０  送信機会設定フレーム
７１０  保持部
７３０  送信部
７５０  指示部
８１０  受信部
８３０  設定部
８５０  確認部
【図１】
0005788026.tif 000002
【図２】
0005788026.tif 000003
【図３】
0005788026.tif 000004
【図４】
0005788026.tif 000005
【図５】
0005788026.tif 000006
【図６】
0005788026.tif 000007
【図７】
0005788026.tif 000008
【図８】
0005788026.tif 000009